(57)【要約】【課題】封口体にほとんどコストアップを伴わない工夫を加えることにより、Ｓｎウィスカが発生したとしても、そのＳｎウィスカの外部への飛散を確実に防止する。【解決手段】ともにリード端子２を有する陽極箔と陰極箔とをセパレータを介して巻回してなるコンデンサ素子１と、コンデンサ素子１が電解物質とともに収納される有底筒状の外装ケース３と、リード端子用の端子挿通孔５が穿設されていて外装ケース３の開口部に装着される封口ゴム４とを含み、リード端子２が扁平部２１ａと丸棒部２１ｂとを有するタブ端子２１と、表面にメッキ層を有し丸棒部２１ｂの端部に溶接される外部引出リード線２２とを備え、外部引出リード線２２が外装ケース３外に引き出されるアルミニウム電解コンデンサにおいて、封口ゴム４の端子挿通孔５の外面側の一端に外部引出リード線２２の直径よりも小径のリード線挿通孔５２を有する遮蔽壁４１を形成し、外部引出リード線２２の溶接部２３を外部と遮断する。【選択図】図１
2008108865.tif 000002
【特許請求の範囲】
【請求項１】
ともにリード端子が取り付けられたアルミニウム材からなる陽極箔と陰極箔とをセパレータを介して巻回してなるコンデンサ素子と、上記コンデンサ素子が所定の電解物質とともに収納される有底筒状の外装ケースと、上記リード端子用の端子挿通孔が穿設されていて上記外装ケースの開口部に装着される封口ゴムとを含み、上記リード端子が、扁平部と丸棒部とを有するアルミニウム材からなるタブ端子と、表面にメッキ層を有し上記丸棒部の端部に溶接される外部引出リード線とを備え、上記リード端子が上記端子挿通孔内に挿通され、上記外部引出リード線が上記外装ケース外に引き出されるアルミニウム電解コンデンサにおいて、
上記封口ゴムの端子挿通孔の外面側の一端に上記外部引出リード線の直径よりも小径で上記外部引出リード線が強制的に挿通されるリード線挿通孔を有する遮蔽壁が形成されていることを特徴とするアルミニウム電解コンデンサ。
【請求項２】
上記リード端子が上記遮蔽壁と上記外部引出リード線の溶接部との間に所定の空間が生ずるように上記封口ゴムの端子挿通孔内に挿通されていることを特徴とする請求項１に記載のアルミニウム電解コンデンサ。
【請求項３】
上記遮蔽壁の厚さが０．２〜０．４ｍｍであることを特徴とする請求項１または２に記載のアルミニウム電解コンデンサ。
【請求項４】
上記リード線挿通孔の孔径が、上記外部引出リード線の直径に対して７０〜９９．９％であることを特徴とする請求項１ないし３のいずれか１項に記載のアルミニウム電解コンデンサ。
【発明の詳細な説明】
【技術分野】
【０００１】
本発明は、アルミニウム電解コンデンサに関し、さらに詳しく言えば、リード端子の鉛フリー化に伴って発生するＳｎ（錫）ウィスカ対策に関するものである。
【背景技術】
【０００２】
アルミニウム電解コンデンサでは、コンデンサ素子を構成するアルミニウム材からなる陽極箔と陰極箔とにリード端子が取り付けられ、そのリード端子が外装ケースの開口部を封止している封口体を貫通して外部に引き出される。
【０００３】
通常、リード端子には、アルミニウム棒材の一端側に羽子板状に押し潰された扁平部を有し、他端側が丸棒部とされたタブ端子が用いられるが、回路基板にはんだ付け可能とするため、タブ端子の丸棒部の端部には、外部引出リード線として表面にメッキ層を有する銅被覆鋼線（ＣＰ線）が同軸的に溶接される。
【０００４】
近年の環境保護の観点から、リード端子においても鉛フリー化に対応するため、多くの場合、Ｓｎ１００％メッキの銅被覆鋼線が用いられている。そのＳｎメッキ厚は１２μｍ程度で、通常、その表面からＳｎのウィスカ（ヒゲ状の結晶体）の発生は見られない。
【０００５】
しかしながら、タブ端子の丸棒部と外部引出リード線との溶接部では、Ａｌ，Ｓｎ，Ｃｕ，Ｆｅなどが混在し、特にアルミニウム層が外気に晒されると、水和や酸化反応などによりＳｎ層に応力が働き、Ｓｎウィスカが猛烈な勢いで発生することが知られている。
【０００６】
リード端子は、封口体に穿設されている端子挿通孔を通して外部に引き出されるが、従来において、端子挿通孔はその全体が上記丸棒部とほぼ同一径であり、溶接部が外部に露出し外気に晒される構造とされているため、Ｓｎウィスカが成長しやすく、また、その成長が著しい場合には、ウィスカが回路基板上に飛散し、最悪の場合、電子回路をショートさせる危険性がある。
【０００７】
Ｓｎウィスカの発生原因となる異種金属のＳｎへの応力を緩和するため、例えば特許文献１に記載の発明では、メッキ層となるＳｎにＢｉ（ビスマス）を含有させることが提案されている。これによれば、Ｓｎウィスカの成長がある程度抑えられるものの、すべてのリード端子について、同じ効果が得られるまでには至っていない。
【０００８】
そこで、本出願人は、Ｓｎウィスカの飛散を防止するため、特願２００５−１１７０８５号において、封口ゴムの端子挿通孔に、タブ端子の丸棒部が嵌合される丸棒嵌合孔と、丸棒嵌合孔に連通していて外部引出リード線が挿通されるリード線挿通孔とを含ませ、リード線挿通孔の孔径を外部引出リード線の直径よりも小径とし、好ましくは丸棒嵌合孔とリード線挿通孔との間に、外部引出リード線の溶接部に密着する漏斗状の溶接収納部を形成することを提案している。
【０００９】
これによれば、溶接部が封口ゴムの端子挿通孔内に封じ込められるため、Ｓｎウィスカの発生が抑制されるが、希にＳｎウィスカがリード線挿通孔と外部引出リード線との間に沿って成長することがある。
【００１０】
そうすると、実使用時において繰り返し振動が加えられる特に車載用などの場合、リード線挿通孔と外部引出リード線との間に沿って成長したＳｎウィスカが外部に飛散するおそれがある。
【００１１】
【特許文献１】特開２０００−１２３８６号公報
【発明の開示】
【発明が解決しようとする課題】
【００１２】
したがって、本発明の課題は、封口体にほとんどコストアップを伴わない工夫を加えることにより、Ｓｎウィスカが発生したとしても、そのＳｎウィスカの外部への飛散を確実に防止することにある。
【課題を解決するための手段】
【００１３】
上記課題を解決するため、請求項１に記載の発明は、ともにリード端子が取り付けられたアルミニウム材からなる陽極箔と陰極箔とをセパレータを介して巻回してなるコンデンサ素子と、上記コンデンサ素子が所定の電解物質とともに収納される有底筒状の外装ケースと、上記リード端子用の端子挿通孔が穿設されていて上記外装ケースの開口部に装着される封口ゴムとを含み、上記リード端子が、扁平部と丸棒部とを有するアルミニウム材からなるタブ端子と、表面にメッキ層を有し上記丸棒部の端部に溶接される外部引出リード線とを備え、上記リード端子が上記端子挿通孔内に挿通され、上記外部引出リード線が上記外装ケース外に引き出されるアルミニウム電解コンデンサにおいて、上記封口ゴムの端子挿通孔の外面側の一端に上記外部引出リード線の直径よりも小径で上記外部引出リード線が強制的に挿通されるリード線挿通孔を有する遮蔽壁が形成されていることを特徴としている。
【００１４】
請求項２に記載の発明は、上記請求項１のアルミニウム電解コンデンサにおいて、上記リード端子が上記遮蔽壁と上記外部引出リード線の溶接部との間に所定の空間が生ずるように上記封口ゴムの端子挿通孔内に挿通されていることを特徴としている。
【００１５】
請求項３に記載の発明は、上記請求項１または２のアルミニウム電解コンデンサにおいて、上記遮蔽壁の厚さが０．２〜０．４ｍｍであることを特徴としている。
【００１６】
請求項４に記載の発明は、上記請求項１ないし３のいずれか１項に記載のアルミニウム電解コンデンサにおいて、上記リード線挿通孔の孔径が、上記外部引出リード線の直径に対して７０〜９９．９％であることを特徴としている。
【発明の効果】
【００１７】
請求項１に記載の発明によれば、封口ゴムの端子挿通孔の外面側の一端に外部引出リード線の直径よりも小径で同外部引出リード線が強制的に挿通されるリード線挿通孔を有する遮蔽壁を形成したことにより、外部引出リード線の溶接部が外部と遮断され、外気に直接的に晒されないため、Ｓｎメッキ層を有する場合におけるＳｎウィスカの発生を抑制することができ、また、Ｓｎウィスカが発生したとしても外部に飛散することが防止される。
【００１８】
リード端子を遮蔽壁と外部引出リード線の溶接部との間に所定の空間が生ずるように封口ゴムの端子挿通孔内に挿通するようにした請求項２に記載の発明によれば、Ｓｎウィスカがリード線挿通孔と外部引出リード線との間に沿って成長することがなく、Ｓｎウィスカの外部への飛散を確実に防止することができる。また、Ｓｎウィスカ発生時の応力から溶接部を保護することができる。
【００１９】
遮蔽壁の厚さを０．２〜０．４ｍｍとした請求項３に記載の発明によれば、Ｓｎウィスカが最大に成長したとしても、封口ゴムが突き破られることがない。
【００２０】
リード線挿通孔の孔径を外部引出リード線の直径に対して７０〜９９．９％とした請求項４に記載の発明によれば、リード線を折り曲げることなく、また、コンデンサ素子に対してストレスをかけることなく、外部引出リード線をリード線挿通孔に挿通することができる。
【発明を実施するための最良の形態】
【００２１】
次に、図１ないし図３により本発明の実施形態について説明するが、本発明はこれに限定されるものではない。図１は本発明によるアルミニウム電解コンデンサを示す模式的な断面図，図２はアルミニウム電解コンデンサの電極箔にリード端子を接続した状態を示す斜視図，図３は本発明の要部で（ａ）封口ゴムの端子挿通孔とリード端子とを分離して示す断面図，（ｂ）封口ゴムの端子挿通孔とリード端子の嵌合状態を示す断面図である。
【００２２】
図１に示すように、このアルミニウム電解コンデンサは、一対のリード端子２，２を有するコンデンサ素子１を備える。コンデンサ素子１は、図２に示すように、リード端子２が取り付けられたアルミニウム材からなる陽極箔１ａと陰極箔１ｂとを図示しないセパレータ紙を介して渦巻き状に巻回することにより形成される。
【００２３】
コンデンサ素子１は、有底円筒状の外装ケース３内に所定の電解物質を伴って収納され、外装ケース３の開口部は、封口ゴム４によって封口される。封口ゴム４には、端子挿通孔５，５が穿設されており、この端子挿通孔５，５を通してリード端子２，２の各先端部が外部に引き出される。
【００２４】
実際には、封口ゴム４は先にリード端子２，２に取り付けられた状態で、コンデンサ素子１とともに外装ケース３内に収納され、その後形成される外装ケース３の横絞り溝３ａと、外装ケース３の端縁３ｂのかしめによって外装ケース３の開口部内に気密的に固定される。
【００２５】
外装ケース３は、通常よく用いられるアルミニウムケースであってよい。封口ゴム４には、ブチルゴムなどが用いられてよく、特殊なゴム材である必要はない。また、電解物質には、通常、水系もしくは有機系の液状電解質が用いられるが、固体電解質が用いられてもよい。
【００２６】
図２に示すように、リード端子２には、タブ端子２１と外部引出リード線２２とが含まれている。タブ端子２１はアルミニウム材からなり、羽子板状にプレス成型された扁平部２１ａと丸棒部２１ｂとを備える。
【００２７】
この種のタブ端子２１は、アルミニウムの丸棒材を所定長さに切断し、その一端側をプレスすることにより得ることができ、扁平部２１ａがかしめ針もしくは溶接などにより陽極箔１ａと陰極箔１ｂとに取り付けられる。
【００２８】
外部引出リード線２２には、通常、銅被覆鋼線（ＣＰ線）が用いられる。外部引出リード線２２は、回路基板に対するハンダ付け性を良好とするため、表面にメッキ層を備えるが、Ｐｂ（鉛）フリー化の場合、そのメッキ層には主としてＳｎ１００％メッキもしくはＳｎ／Ｂｉ（０．５％）メッキなどが適用される。
【００２９】
外部引出リード線２２は、タブ端子２１の丸棒部２１ｂよりも小径で、丸棒部２１ｂのの端面に溶接される。その溶接部に参照符号２３を付す。表面のメッキ層がＳｎ１００％メッキである場合、溶接部２３以外のメッキ層は安定しているが、溶接部２３では、Ａｌ，Ｓｎ，Ｃｕ，Ｆｅなどが混在しており、外気に晒されると、Ａｌの水和や酸化反応によりＳｎ層に応力が働き、Ｓｎウィスカ（ヒゲ状の結晶体）２３ａが猛烈な勢いで発生し成長する。Ｓｎ／Ｂｉ（０．５％）メッキにおいても、Ｓｎ１００％よりはウィスカの成長は緩和されるが、同様にウィスカは発生する。
【００３０】
溶接部２３でのＳｎウィスカ２３ａの発生および成長を抑え、また、発生したＳｎウィスカ２３ａの外部への飛散を防止するため、本発明では、端子挿通孔５を図３に示すような構成とする。
【００３１】
この例において、端子挿通孔５は、タブ端子２１の丸棒部２１ｂが嵌合される丸棒嵌合孔５１を備え、丸棒嵌合孔５１の外面側の一端には、外部引出リード線２２が挿通される小径のリード線挿通孔５２を有する遮蔽壁４１が形成されている。
【００３２】
丸棒嵌合孔５１およびリード線挿通孔５２は、同軸的に連通している。丸棒嵌合孔５１は、丸棒部２１ｂの直径とほぼ同径もしくは若干小径の孔であってよい。これに対して、リード線挿通孔５２は、溶接部２３を外部と遮断するため、外部引出リード線２２よりも小径とする。
【００３３】
リード線挿通孔５２を小径にするにしても、あまり小さくすると、外部引出リード線２２を挿通する際に、リード線２が折れ曲がったり、コンデンサ素子１にストレスが加わり特性劣化を引き起こすおそれがあるため、外部引出リード線２２の直径をφ１，リード線挿通孔５２の内径をφ２として、φ２はφ１の７０〜９９．９％（特には８０〜９０％）であることが好ましい。なお、リード線の挿通性を良好とするには、リード線の先端部を加熱溶融して丸みを付けることも有効である。
【００３４】
また、Ｓｎウィスカ２３ａは、６０℃，相対湿度９５％，１０００時間の耐湿貯蔵で最大２００μｍまで成長することが知られている。そのため、リード線挿通孔５２を有する遮蔽壁４１の厚さを０．２〜０．４ｍｍの範囲内とすることが好ましい。
【００３５】
なお、リード線挿通孔５２での封止性および組立時の生産性の観点からすれば、リード線挿通孔５２の軸長Ｌは、封口ゴム４の厚さの２０％以上とすることが好ましい。
【００３６】
リード端子２を端子挿通孔５に挿通するにあたって、図３（ｂ）に示すように、溶接部２３と遮蔽壁４１との間に所定の空間が残されるように挿通することが好ましい。これによれば、Ｓｎウィスカ２３ａがリード線挿通孔５２と外部引出リード線２２との間に沿って成長することがなく、Ｓｎウィスカ２３ａの外部への飛散を確実に防止することができる。
【００３７】
また、その空間内でＳｎウィスカ２３ａは自由に成長し得るため、その成長過程で発生する溶接部２３に対する反作用的な応力が緩和され、溶接部２３のメッキ層の破壊が防止される。
【００３８】
上記した構成によれば、リード端子２を端子挿通孔５に挿通すると、リード線挿通孔５２により溶接部２３が外部と遮断されるため、溶接部２３でのＳｎウィスカ２３ａが発生しにくくなり、仮にＳｎウィスカ２３ａが発生したとしても、コンデンサ外部に飛散するまでには至らない。したがって、回路基板に実装した場合、長期にわたって電子回路のショート発生を未然に防止することができる。
【図面の簡単な説明】
【００３９】
【図１】本発明のアルミニウム電解コンデンサの基本的な構成を示す模式的な断面図。
【図２】アルミニウム電解コンデンサの電極箔に対するリード端子の接続状態を示す斜視図。
【図３】本発明の要部を示す図で、（ａ）封口ゴムの端子挿通孔とリード端子とを分離して示す断面図，（ｂ）封口ゴムの端子挿通孔とリード端子の嵌合状態を示す断面図。
【符号の説明】
【００４０】
１  コンデンサ素子
２  リード端子
２１  タブ端子
２１ａ  扁平部
２１ｂ  丸棒部
２２  外部引出リード線
２３  溶接部
２３ａ  Ｓｎウィスカ
３  外装ケース
４  封口ゴム
５  端子挿通孔
５１  丸棒嵌合孔
５２  リード線挿通孔
【図１】
2008108865.tif 000003
【図２】
2008108865.tif 000004
【図３】
2008108865.tif 000005